(57)【特許請求の範囲】
【請求項１】
筐体に内蔵された画像読取手段と、
上記筐体の一部に配置されたプラテンと、
上記プラテンの一端に配置されプラテン上の原稿シートを上方に掬い上げる、掬い上げ部材と、を備え、
上記掬い上げ部材には、
上記プラテンの側端面と隙間を有して隣接する側部接合面と、
上記プラテンの下面縁部と当接する底部接合面と、
上記側部接合面から侵入する塵埃を収容する塵埃収容空間と、
が設けられ、
上記塵埃収容空間には、塵埃収容空間を上下２つに区割する板状部材が設けられ、
この板状部材は上記プラテン側から上記塵埃収容空間に突出して上記側部接合面から上記底部接合面までの塵埃の移動を遮るように配置されていることを特徴とする画像読取装置。
【請求項２】
前記板状部材は、基端部を前記プラテンの下面縁部に添着され、先端部は上部塵埃収容空間から下部塵埃収容空間に塵埃を落下収容するように構成されていることを特徴とする請求項１に記載の画像読取装置。
【請求項３】
前記掬い上げ部材の底部接合面と前記プラテンの下面縁部とは、スポンジ、ゴム質材などの弾性部材を介して当接していることを特徴とする請求項１又は２に記載の画像読取装置。
【請求項４】
原稿搬送手段により搬送される原稿シートの読み取りを行うためのプラテンと、
上記原稿搬送手段で搬送される原稿シートを掬い上げるために上記プラテンに隣接して配置された掬い上げ部材と、
を備え、
上記掬い上げ部材には、
上記プラテンの側端面と隙間を有して隣接する側部接合面と、
上記プラテンの下面と当接する底面当接部と、
上記側部当接部から侵入する塵埃を収容する塵埃収容部と、
が設けられ、
上記塵埃収容部の塵埃収容空間には、上記側面当接部から侵入した塵埃を上記底面当接部から離れる方向に案内する板状部材が配置され、
この板状部材は上記プラテン側から上記掬い上げ部材側に突出するようにその基端を上記プラテンに固定されていることを特徴とする画像読取装置。
【請求項５】
前記板状部材は、弾性変形可能なシート状部材であることを特徴とする請求項４に記載の画像読取装置。
【請求項６】
前記掬い上げ部材には、静止した原稿シートの読み取りを行うための第２プラテンが隣設されていることを特徴とする請求項４に記載の画像読取装置。
【請求項７】
プラテン上の原稿を光学的に読み取るスキャナユニットと、
上記プラテンに原稿シートを給送する原稿給送ユニットと、
から構成され、
上記原稿給送ユニットは、
原稿シートを載置する給紙スタッカと、
上記給紙スタッカからの原稿シートを上記プラテンに給送する給紙ローラ手段と、
上記プラテンからの原稿シートを搬出する排紙ローラ手段と、
上記排紙ローラ手段からの原稿シートを収容する排紙スタッカと、
を備え、
上記スキャナユニットは請求項１乃至６の何れかの項に記載の構成を備えていることを特徴とする画像読取システム。
【発明の詳細な説明】
【技術分野】
【０００１】
本発明は、複写機、ファクシミリ、スキャナなどの原稿シート上の画像を光学的に読み取る画像読取装置に係わり、プラテンガラスの周縁から侵入する紙粉などの塵埃を封入するプラテン支持構造の改良に関する。
【背景技術】
【０００２】
一般にこの種の画像読取装置は、プラテン上の原稿シートを光電変換素子で光学的に読み取る装置として各種光学器機に広く使用されている。そしてプラテンは、原稿シートを静止セットする原稿固定プラテンと、原稿シートを所定速度で移送する原稿走行プラテンとが知られている。
【０００３】
例えば特許文献１には原稿走行プラテンと原稿固定プラテンを併設し、原稿走行プラテンにはその上方に原稿シートを自動的に給送する原稿給送装置（ユニット）を配置し、原稿固定プラテンには原稿を覆うプラテンカバーを備えた装置が開示されている。
【０００４】
このような装置において、原稿走行プラテンでは所定速度で移動する原稿シートをプラテンから上方に掬い上げるガイド機構が必要となる。一般にこのガイド機構はプラテンを固定する部材表面をガイド面で構成しプラテンから原稿シートを掬い上げるように構成している（以下この部材を「ガイド部材」という）。このガイド部材は掬い上げる原稿シートに衝撃、皺等のストレスを与えないようにプラテン表面から若干低い段差を形成している。そこで、このガイド部材とプラテンの端面との当接部から紙粉などの塵埃が内部に侵入して画像読み取り機構（ミラー、レンズなど）に付着する問題が知られている。
【０００５】
上述の問題を解決するため、例えば特許文献１には、プラテンの側端面とガイド部材との隙間から侵入する紙粉が内部に侵入しないようにポリエチレンフィルムなどの薄板を敷設し、このフィルム面状に塵埃を収容する封止構造が提案されている。
また、特許文献２にはガイド部材に塵埃を収容する集塵空間を設け、この空間とプラテン下面（装置内側面）との間をフィルム部材で塞ぐ封止構造が提案されている。
更に、特許文献３にはプラテンの側端面とガイド部材との間にシールド部材を介在させる封止構造が提案されている。
【０００６】
このような原稿走行プラテンから装置内に塵埃が侵入する問題は、このプラテンを走行する原稿から紙粉或いはトナーインクなどが飛散することと、走行原稿でプラテン表面に傷などの損耗するためプラテンを経時的に交換するためプラテンとガイド部材を堅牢に接着することが出来ないことに原因している。
【特許文献１】特開２００２−３５４１９１号公報
【特許文献２】特開２００２−１６５０５９号公報
【特許文献３】特許第３０１６３０６号公報
【発明の開示】
【発明が解決しようとする課題】
【０００７】
上述のように、原稿シートが走行するプラテンと、このプラテンから原稿シートを掬い上げるガイド部材とを一体的に連結する場合に、このプラテンとガイド部材との間には原稿シートをスムーズに搬送するため段差を形成する必要があり、またメンテナンス時にプラテンを外して装置内部を解放する必要がある。この為、プラテンとガイド部材との間には紙粉などの塵埃が集積し、装置内部に侵入する問題がある。
【０００８】
この塵埃の侵入を防止するため、従来は前掲特許文献に提案されているシールド構造を採用している。例えば前掲特許文献１の装置はプラテン底面とこれを支持するカイド部材との間に弾性フィルム材を敷設して塵埃の内部侵入を防止している。また同様に前掲特許文献３の装置はプラテンの端面とガイド部材の間にスポンジなどのシールド部材を配置して塵埃の内部侵入を防止している。
【０００９】
このようなプラテンとガイド部材との間にシールド部材を介在する構造を採用すると紙粉などの塵埃はプラテンとガイド部材との間の段差部に集合する。このプラテン縁部に集積した塵埃はプラテンガラスが高熱になるとプラテン表面に付着する問題がある。つまりプラテンガラスは露光ランプの熱で高温となり、その熱でトナーインクなどの塵埃がプラテン表面に溶着する。この問題と同時にプラテン上方に配置される原稿搬送ユニットを開閉する装置構成にあっては、開閉の都度プラテンには大きな機械的衝撃が作用する。この原稿搬送ユニットの開閉による振動と風圧でシールド部材に隙間が生じて段差部に集積されている塵埃が装置内部に侵入することがある。
【００１０】
そこで前掲特許文献２に開示されているようにガイド部材に集塵空間を設けて塵埃をこの空間内に収容する構造が提案されている。しかし同文献に提案されている構造は単にプラテンの端面から侵入する塵埃を収容する空間（集塵室）を設けているため、この空間に収容された塵埃が装置内部に侵入する問題がある。つまり同文献の構造は集塵室をプラテンに付設したフィルム部材（封止部材）で閉塞しているため、上述のようにプラテンに振動或いは風圧が作用した際に封止部から塵埃が装置内部に漏れ出す問題がある。
【００１１】
本発明者は、原稿搬送ユニットの開閉動作でプラテンガラスには衝撃的な振動と、風圧が作用し、紙粉などの塵埃が装置内部に侵入することに着目し、ガイド部材に集塵空間（集塵ポケット）を設けるのと同時にこのポケット内に収容した塵埃が振動或いは風圧の影響で落下する運動を規制することによって封止部から装置内部に侵入する問題を解決し得るとの着想に至った。
【００１２】
本発明はプラテンと、このプラテンからの走行原稿を掬い上げるガイド部材とを連結する際に紙粉などの塵埃が装置内部に侵入することのない画像読取装置の提供をその主な課題としている。
【課題を解決するための手段】
【００１３】
上記課題を達成するため本発明は、プラテンからの原稿を掬い上げるガイド部材に紙粉などを収容する塵埃収容ポケットを設け、プラテンにはポケット内部に突出し塵埃収容ポケットを上下２つに区割する板状部材を設け、プラテンとガイド部材との隙間から侵入した塵埃が、プラテン底部側の装置内部への侵入経路（入口）に達するまでの移動を遮るように作用させることを特徴としている。
【００１４】
筐体に内蔵された画像読取手段と、上記筐体の一部に配置されたプラテンと、上記プラテンの一端に原稿シートを給送する原稿給送手段と、上記プラテンの他端に配置されプラテン上の原稿シートを上方に掬い上げる掬い上げ部材とを備える。上記掬い上げ部材には、上記プラテンの側端面と少許の間隙を有して隣接する側部接合面と、上記プラテンの下面縁部と当接する底部接合面と、上記側部接合面から侵入する塵埃を収容する塵埃収容空間とを設け、上記塵埃収容空間には塵埃収容空間を上下２つに区割する板状部材を設ける。この板状部材は上記プラテン側から上記塵埃収容空間に突出して上記側部接合面から上記底部接合面に至る塵埃の侵入経路を遮るように配置する。
【００１５】
前記板状部材は、基端部を前記プラテンの下面縁部に添着し、先端部は上部塵埃収容空間から下部塵埃収容空間に塵埃を落下収容するように構成する。
【００１６】
前記掬い上げ部材の底部接合面と前記プラテンの下面縁部とは弾性部材を介して当接している。
【００１７】
原稿搬送手段により搬送される原稿シートの読み取りを行うためのプラテンと、上記原稿搬送手段で搬送される原稿シートを掬い上げるために上記プラテンに隣接して配置された掬い上げ部材とを備え、上記掬い上げ部材には、上記プラテンの一側端面と当接する側面当接部と、上記プラテンの下面と当接する底面当接部と、上記側部当接部から侵入する塵埃を収容する塵埃収容部とを設ける。上記塵埃収容部の塵埃収容空間には、上記側面当接部から侵入した塵埃を上記底面当接部から離れる方向に案内する板状部材を配置し、この板状部材は上記プラテン側から上記掬い上げ部材側に突出するようにその基端を上記プラテンに固定する。
【００１８】
前記板状部材は、弾性変形可能なシート状部材で構成し、前記掬い上げ部材には、静止した原稿シートの読み取りを行うための第２プラテンが隣設される。
【００１９】
本発明に係わる画像読取システムは、プラテン上の原稿を光学的に読み取るスキャナユニットと、上記プラテンに原稿シートを給送する原稿給送ユニットとから構成し、上記原稿給送ユニットは、原稿シートを載置する給紙スタッカと、上記給紙スタッカからの原稿シートを上記プラテンに給送する給紙ローラ手段と、上記プラテンからの原稿シートを搬出する排紙ローラ手段と、上記排紙ローラ手段からの原稿シートを収容する排紙スタッカとを備える。
【発明の効果】
【００２０】
本発明は、プラテンからの原稿を掬い上げるガイド部材に紙粉などを収容する塵埃収容空間を設け、この塵埃収容空間を上下２つに区割する板状部材をプラテンに設け、プラテンとガイド部材との間から侵入した塵埃がプラテン底部の装置内部への侵入経路（入口）に達するまでの移動を遮るように作用させたものであるから次の効果を奏する。
【００２１】
塵埃は上部収容空間から下部収容空間に落下収容される際に、板状部材がプラテン側から収容空間内に突出するように配置されているから、プラテン底面の底部接合面から離れる方向に案内され装置内部に容易に侵入できない。
【００２２】
塵埃収容空間は上下２つに区割され、上部塵埃収容空間に侵入した塵埃は板状部材を介して下部塵埃収容空間に収容されることとなる。従ってプラテンに強い衝撃振動或いは風圧が作用してもその影響は上部収容空間に止まり、下部収容空間内の塵埃に及ぶ影響は軽減される。この為下部収容空間とプラテン底面との底部接合面（シールド部）に隙間が生じてもここから塵埃が装置内部に侵入することが少ない。
【００２３】
このように本発明は塵埃収容空間を上下２つに区割し、プラテンに作用する振動、風圧の影響を上部収容空間で遮り、プラテン底面と掬い上げ部材との間の底部接合面（シールド面）を下部収容空間に配置したものであるからプラテンに強い振動が繰り返し作用してもシールド部から塵埃が装置内部に侵入することがない。
【００２４】
更に、板状部材をプラテン底面の縁部に接着テープなどで固定することによって上部収容空間の塵埃が直接装置内部に侵入することを防止することができ、この場合、プラテンから板状部材を分離することによって消耗したプラテンの廃棄及び再生が容易である。
【００２５】
また、下部収容空間とプラテン底面との間をスポンジ、ゴムなどの弾性部材でシールドする際に、塵埃は板状部材によってこのシールド部から遠ざかる位置に収容されるためシールド部材が熱などで変化、或いは径時劣化しても塵埃が装置内部に漏れ出すことがないなど本発明は簡単な構造で顕著な効果を奏する。
【発明を実施するための最良の形態】
【００２６】
以下図示の好適な実施の態様に基づいて本発明を詳述する。図１は本発明に係わる画像読取装置の全体構成を示す斜視説明図であり、図２はその縦断説明図である。図３は原稿シートをプラテンに給送する要部断面の説明図、図４はプラテンとガイド部材の組み立て状態を示す分解斜視説明図であり、図５はガイド部材の構成を示す要部説明図である。
【００２７】
本発明の画像読取装置はスキャナユニットＡと、原稿搬送ユニットＢとから構成され、この原稿搬送ユニットＢはスキャナユニットＡの上部に設置されている。このスキャナユニットＡは図１に示すように外装ケーシング（筐体）１の上面に原稿走行プラテン（以下「第１プラテン」という）２と原稿固定プラテン（以下「第２プラテン」という）３とが並設配置されている。上記原稿搬送ユニットＢは第１プラテン２に原稿シートを給送するフィーダ機構４と、上記第２プラテン上の原稿を覆うプラテンカバー５とから構成され、図１に示すように開閉自在にヒンジ連結されている。以下各構成を詳述する。
【００２８】
［スキャナユニットの構成］
スキャナユニットＡは外装ケーシング１に上述の第１プラテン２と第２プラテン３を備え、このケーシング内部には画像読取機構が内蔵されている。図２に示す画像読取機構について説明すると、外装ケーシング１内には、第１,第２プラテン２、３に沿って往復動するキャリッジ６と、集光レンズ７と光電変換素子８が配置されている。図示の装置はキャリッジ６に搭載した光源ランプ９からプラテン上の原稿に光を照射し、その反射光を複数のミラー１０で集光レンズ７に案内して光電変換素子８で電気的に読み取る光学系を示している。この為、キャリッジ６はガイドレール１２に支持され第２プラテン３に沿って往復動するように構成されている。従ってキャリッジ６は第２プラテン３に沿って移動する過程でこのプラテンにセットされた原稿を走査し光電変換素子（ラインセンサ）８で画像を読み取ることとなる。これと同時にこのキャリッジ６は第２プラテン３から第１プラテン２の直下に移動し、この位置に静止した状態で第１プラテン上を所定速度で移動する原稿の画像を読み取るように構成されている。
【００２９】
尚、図示の読取光学系は光源を搭載したキャリッジ６を移動し、集光レンズ７と光電変換素子８を装置フレームに固定する縮小光学系を示したが、この他、光源と共に光電変換素子８をキャリッジに搭載して移動する等倍光学系で構成しても良いことは勿論である。この場合には光源とレンズと光電変換素子を一体化した密着センサを用いれば良い。
【００３０】
［原稿搬送ユニットの構成］
原稿搬送ユニットＢは図２に示すように上述の第１,第２プラテン２、３を覆うようにその上方に配置され、上記第１プラテン２に原稿シートを給送するリードローラ（原稿給送手段）２０と、第１プラテン２から原稿シートを上方に掬い上げるガイド部材（掬い上げ部材）２１と搬出ローラ２２とを備えている。更に上記リードローラ２０の上流側には原稿シートを積載収納する給紙スタッカ２３と、この給紙スタッカ２３に積載されてシートを１枚ずつ分離給送する給紙ローラ２４と、分離給送されたシート先端をスキュ修正するレジストローラ対２５が配置されている。図示２６は給紙スタッカ２３から第１プラテン２に原稿シートを案内する給紙経路であり、図示Ｓ１はプラテンに至る原稿の先端を検知するリードセンサである。
【００３１】
図示の装置は第１プラテン２の上方に原稿シートを案内するバックアップローラ２７が配置されている。このバックアップローラ２７はリードローラ２０と同一周速度で回転し第１プラテン２上に原稿シートをフィットさせる為であり、このバックアップローラ２７を設けることなくプラテン上方にバックアップカイドを配置しても良い。
【００３２】
上記搬出ローラ２２の下流側には排紙ローラ２８と排紙スタッカ２９が配置されている。この排紙スタッカ２９は図２に示すように給紙スタッカ２３の下方に上下並列に配置され、その底部には前述の第２プラテン３上の原稿シートを押圧支持するプラテンカバー５が設けられている。
【００３３】
このように構成された原稿搬送ユニットＢはスキャナユニットＡの上部筐体（外装ケーシング）１にヒンジ部材１ｈで開閉自在に据え付けられている（図１参照）。そして第２プラテン３を開放した状態で原稿シートを載置セットし、この原稿搬送ユニットＢのプラテンカバー５でこの原稿を覆うように構成されている。一方この原稿搬送ユニットＢを開閉する際に第１プラテン２とバックアップローラ２７（又はバックアップガイド）との間隔（原稿搬送ギャップ）が変化しないように原稿搬送ユニットＢのフレームには第１プラテン２に当接する位置決め突起（ストッパ部材；不図示）が設けられている。従って第１プラテン２には原稿搬送ユニットＢを開閉する都度、殴打するような機械的衝撃が作用することとなる。
【００３４】
［掬い上げガイド機構の構成］
そこで本発明は上述の第１プラテン２とガイド部材２１を次のような構成にしたことを特徴としている。図４に示すように第１プラテン２はガラス板などで構成され、スキャナユニットＡの外装ケーシング１に配置されたプラテン支持部材３０に固定される。このプラテン支持部材３０は外装ケーシング１と一体に形成しても良いが図示のものは、外装ケーシング１とは異なる金属製の支持枠体で形成している。このプラテン支持部材３０には露光開口３１が設けられこの開口を覆うように第１プラテン２が固定されるようになっている。
【００３５】
このように第１プラテン２は外装ケーシング１にプラテン支持部材３０を介して一体的に固定されている。そして第１プラテン２の原稿搬入側（図４左端側）には搬入ガイド部材３２が、原稿搬出側（図４右端側）には掬い上げガイド部材２１が隣設配置されている。そして搬入カイド部材３２にはリードローラ２０から送られた原稿シートを第１プラテン２上に導くようにガイド面３２ｇが、掬い上げ部材２１には第１プラテン２から原稿シートを上方に掬い上げるようにガイド面２１ｇがそれぞれ設けられている。そして搬入ガイド部材３２には、原稿シートを第１プラテン２に案内するガイド面３２ｇと共にプラテン上面の縁部を嵌合支持するフランジ部３２ｆが設けられている。
【００３６】
一方上記掬い上げ部材（以下「ガイド部材」という）２１は、第１プラテン２の側端面２ａと少許の間隙を有して接している。これは、第１プラテン２はプラテン支持部材３０に支持されてガイド部材２１に接した状態で所定位置に固定されているが、スキャナユニットＡのメンテナンス時など装置内部を開放する際にはガイド部材２１側と第１プラテンとを分離して装置内部を開放する。よって、第１プラテン２の側端面２ａとガイド部材２１の側部接合面２１ａとは接着剤等で接着されていないため側端面２ａと側部接合面２１ａとの間には紙粉が侵入できる程度のわずかな隙間ができ、紙粉の侵入経路（Ｇ１）を形成してしまっている。なお、本実施例ではガイド部材２１と第１プラテン２とは接触しているものを記載したが、例えば位置決めの関係から両者が接触していない場合も含まれ、すなわち、紙粉の侵入経路を形成しているものすべてを含む。さらにガイド部材２１は、塵埃収納ポケット３５、底部５０とを有し、底部５０の先端上面にはスポンジなどの弾性材料から成るシールド部材３３が接着剤で固定されている。
【００３７】
シールド部材３３は、後述する板状部材３６の下面と接触する底部接合面２１ｂを備えているが、この底部接合面２１ｂと板状部材３６下面とは接着材等で接着固定はされていない。これは、上述同様メンテナンスなどスキャナ装置内部を開放する際に、ガイド部材２１（シール部材３３）と第１プラテン２（板状部材３６）とを離間させる必要があるためである。
従って、板状部材３６下面とシールド部材３３上面とは接してはいるが接着されていないそのため、両者の間に部品精度程度のわずかな隙間Ｇ２ができてしまい、この隙間Ｇ２がスキャナ内部への侵入経路となってしまう。
【００３８】
図５（ｂ）に示すように塵埃収納ポケット３５は板状部材３６で上下２つの集塵室３５ａ、３５ｂに区割されている。そこで板状部材３６は、例えばポリエチレンフィルムなどの弾性板（シート）で形成され、その基端部３６ａは第１プラテン２の下面縁部２ｂに接着テープ（粘着テープ）３６ｔで添着されている。この為、この板状部材３６と第１プラテン２との間には衝撃などが作用しても塵埃が侵入する隙間が生ずることはなく、同時に第１プラテン２を損耗などで交換する場合にその廃却或いは再生の際は板状部材３６を容易に分離することが可能になっている。
【００３９】
また、上記板状部材３６の先端３６ｂは塵埃収容ポケット３５内に突出するように配置され、その先端３６ｂと塵埃収容ポケット３５の内壁との間に隙間があるため、上部集塵室３５ａと下部集塵室３５ｂとはつながっている。
従って第１プラテン２の側端面２ａと側部接合面２１ａとの間に生ずる隙間Ｇ１から侵入した塵埃は板状部材３６上に乗って上部集塵室３５ａに収容される。その後板状部材３６上を矢印Ｘ方向、すなわち底部接合面２１ｂから離れる方向に移動し、そして下部集塵室３５ｂに落下して収容される。
【００４０】
このように、板状部材３６によって隙間Ｇ１から隙間Ｇ２までの侵入経路を迂回させて延長することで、スキャナ内部への塵埃の侵入を妨げている。さらに隙間Ｇ１から侵入した塵埃は、下部集塵室３５ｂに落下収納されるが、侵入経路となり得る隙間Ｇ２はシール部材３３によって底上げされているため、さらに塵芥は侵入し辛くなっている。
【００４１】
上述のように構成されたガイド部材２１の作用について図６の動作状態図に基づいて説明する。同図（ａ）に示すように第１，第２プラテン２、３に大きな衝撃（加重）或いは振動が作用しない場合にも側部接合面２１ａの隙間Ｇ１から侵入した塵埃は上部集塵室３５ａに落下した後、板状部材３６に沿って下部集塵室３５ｂに収容される。このとき下部集塵室３５ｂに配置されている底部接合面２１ｂ（同図左端）から離れた同図右端に収容される。従って上部集塵室３５ａ及び下部集塵室３５ｂに塵埃が満杯となるまで収容された塵埃が底部接合面２１ｂの隙間Ｇ２から装置内部に漏れ出すことがない。
【００４２】
上述の第１プラテン２及び第２プラテン３には原稿搬送ユニットＢの開閉動作或いは不測の外部衝撃（加重）で撓むことがある。またこの撓みと同時に塵埃を装置内部に送入する風圧を受けることがある。同図（ｂ）に示すように第１プラテン２が下方向に撓んだ場合にはシールド部材３３が単に縮むだけでシールド部材３３と板状部材３６との間の隙間Ｇ２が大きく広がることはない。よって、同図（ａ）の場合と同様に塵埃が装置内部に侵入することはない。
【００４３】
また、第２プラテン３に大きな衝撃が及んだ場合には同図（ｃ）に示すように、ガイド部材２１が下がって板状部材３６を押し下げ、隙間Ｇ２が大きく広がる。ガイド部材２１や隙間Ｇ１にあった紙粉は、板状部材３６とガイド部材２１との接触によって隙間Ｇ１が塞がれているのでスキャナ内部へ侵入しない。また、下部集塵室３５ｂに収容されていた塵埃は、シールド部材３３が壁となってスキャナ内部に侵入しない。このように隙間Ｇ２が形成されても装置内部に塵埃が侵入することがない。
【００４４】
本発明は上述したようにプラテン側端面２ａとガイド部材２１の側部接合面２１ａとの間に隙間Ｇ１が生じても、これから侵入した塵埃は上部集塵室３５ａと下部集塵室３５ｂに収容され、装置内部に侵入することがない。特に上下集塵室３５ａ、３５ｂの間には第１プラテン２側から突出した板状部材３６が設けられている。この板状部材３６の作用により繰り返しの振動或いは風圧が及んでも下部集塵室３５ｂに配置されている底部接合面２１ｂから装置内部に塵埃が侵入することがないこととなる。
【００４５】
なお、本発明にあって第１、第２プラテン２，３を並設する場合について説明したが、原稿シートを固定する第２プラテン３は必ずしも設ける必要がなく、第１プラテン２のみを備えた装置構成であっても良い。また板状部材３６はその基端部３６ａを第１プラテン２に接着する場合を説明したが、この板状部材３６は第１プラテン２に接着することなく他の部材に固定してプラテン下面と当接するように配置しても良い。
【図面の簡単な説明】
【００４６】
【図１】本発明に係わる画像読取装置の全体構成を示す斜視説明図。
【図２】図１の装置の縦断説明図。
【図３】原稿シートをプラテンに給送する要部の断面説明図。
【図４】プラテンとガイド部材の組み立て状態を示す分解斜視説明図。
【図５】ガイド部材の構成を示す要部説明図であり、（ａ）はその全体説明図、（ｂ）は（ａ）に示すＩ部の拡大説明図。
【図６】ガイド部材２１の作用を示す動作状態説明図であり、（ａ）は通常の状態で塵埃を収容する動作状態を、（ｂ）は第１プラテンに衝撃が作用した場合の塵埃収容状態を、（ｃ）は第２プラテンに衝撃が作用した場合の塵埃収容状態をそれぞれ示す。
【符号の説明】
【００４７】
Ａ      スキャナユニット
Ｂ      原稿搬送ユニット
１      外装ケーシング
１ｈ    ヒンジ部材
２      第１プラテン
２ａ    側端面
２ｂ    下面縁部
３      第２プラテン
４      フィーダ機構
５      プラテンカバー
６      キャリッジ
２０    リードローラ（原稿給送手段）
２１    ガイド部材（掬い上げ部材）
２１ａ  側部接合面
２１ｂ  底部接合面
２１ｇ  ガイド面
２１ｃ  塵埃収納ポケット
２２    搬出ローラ
２３    給紙スタッカ
２４    給紙ローラ
２８    排紙ローラ
２９    排紙スタッカ
３０    プラテン支持部材
３１    露光開口
３２    搬入ガイド部材
３２ｇ  ガイド面
３２ｆ  フランジ部
３３    シールド部材
３５    塵埃収納ポケット
３５ａ  上部集塵室
３５ｂ  下部集塵室
３６    板状部材
３６ａ  基端部
３６ｂ  先端
３６ｔ  接着テープ（粘着テープ）
５０    底部
【図１】
0005150185.tif 000002
【図２】
0005150185.tif 000003
【図３】
0005150185.tif 000004
【図４】
0005150185.tif 000005
【図５】
0005150185.tif 000006
【図６】
0005150185.tif 000007